(57)【要約】【課題】メーカーは勿論のこと、ユーザーでもすばやく確実に組立作業できるようにする。【解決手段】付け根部の中空支軸（２５）から等分割された脚ベース（Ｂ）の複数が、寄せ集め整合された時全体的なリング状に連通することとなる凹溝（３２）を、その脚ベース（Ｂ）の中空支軸（２５）へ下向き拡開状態に切り欠くと共に、上記複数の脚ベース（Ｂ）を求心方向へ整合状態に自づと寄せ集め圧着させるための楔リング（３３）を、その脚ベース（Ｂ）の上記凹溝（３２）へ下方から脱落不能に圧入一体化した。【選択図】  図６
0003132467.tif 000002
【実用新案登録請求の範囲】
【請求項１】
天板（１６）を支持する脚管柱（１１）と、これを受け止める付け根部の中空支軸（２５）から等分割された脚ベース（Ｂ）の複数を備え、
その複数の脚ベース（Ｂ）が寄せ集め整合された時、全体的なリング状に連通することとなる凹溝（３２）を、上記脚ベース（Ｂ）の中空支軸（２５）へ下向き拡開状態に切り欠く一方、上記脚管柱（１１）の開口下端部へフランジナット（１３）を嵌め付け溶接して、
上記脚ベース（Ｂ）の下方から中空支軸（２５）を通じてフランジナット（１３）へ差し込み締結するセンターボルト（２９）により、その複数の脚ベース（Ｂ）を上記脚管柱（１１）と組立一体化するテーブルの支持脚構造において、
上記複数の脚ベース（Ｂ）を求心方向へ整合状態に寄せ集め圧着させるための楔リング（３３）を、その脚ベース（Ｂ）の上記凹溝（３２）へ下方から脱落不能に圧入したことを特徴とするテーブルの支持脚構造。
【請求項２】
楔リング（３３）の内周面を差し込み先端部へ行く程徐々に拡開する傾斜テーパー面（３３ａ）として造形する一方、
その楔リング（３３）が圧入される凹溝（３２）を、上記傾斜テーパー面（３３ａ）とほぼ対応する傾斜テーパー状の内側凸曲面（３２ａ）と、垂直なストレート状の外側凹曲面（３２ｂ）と、フラットな奥部（３２ｃ）とから断面ほぼ倒立レ字型に区画して、
上記楔リング（３３）をその凹溝（３２）の奥部（３２ｃ）に受け止められるまで深く圧入したことを特徴とする請求項１記載のテーブルの支持脚構造。
【考案の詳細な説明】
【技術分野】
【０００１】
本考案は円形や楕円形、四角形などの平面輪郭形状を備えたテーブルの支持脚構造に関する。
【背景技術】
【０００２】
一般に、梱包・輸送上の小型コンパクト化を図るため、ユーザーにおいて図９〜１４のような天板（１）を支持する脚管柱（２）と、予じめ等分割された複数の脚ベース（３）とを組み立てる業務用テーブルの支持脚構造は公知である。
【０００３】
これでは、脚管柱（２）の開口下端部にフランジナット（４）が嵌め付け溶接されている一方、脚ベース（３）の付け根部をなす中空支軸（３ａ）には、下向き拡開するキャップ受け入れ用凹溝（５）が各々切り欠かれている。
【０００４】
そして、これをユーザーが組み立てるに当っては、複数の脚ベース（３）を寄せ集め整合することにより、全体的なリング状として連通することになる上記凹溝（５）の内部へ、図１３のように下方から断面ほぼＵ字型のキャップ（６）をかぶせ付け状態に差し込んだ上、そのキャップ（６）の更に下方から脚ベース（３）の中空支軸（３ａ）を経て差し込み貫通させたセンターボルト（７）の先端部を、上記脚管柱（２）のフランジナット（４）と締結するようになっている。
【０００５】
尚、（８）はそのキャップ（６）の中心部に開口するセンターボルト逃し入れ孔、（９）（１０）は上記センターボルト（７）の頭部とキャップ（６）との相互間に各々介挿された平座金とバネ座金である。
【考案の開示】
【考案が解決しようとする課題】
【０００６】
ところが、上記キャップ（６）は図１４に拡大して示す如く、一定厚みの金属板から断面ほぼＵ字型にプレス加工されたものであり、その角隅部が９０度よりも大きな鈍角（θ）に屈曲している。
【０００７】
これに対して、そのキャップ（６）を受け入れる凹溝（５）は下向き拡開するほぼ倒立Ｖ字型として、その入口部の開口幅（ｗ１）が奥部の開口幅（ｗ２）よりも広い。
【０００８】
しかも、そのキャップ（６）の差し込み深さ（ｄ１）は上記脚ベース（３）の中空支軸（３ａ）へ下方からかぶせ付けられる寸法関係上、これを受け入れる凹溝（５）の深さ（ｄ２）よりも浅く形成されており、その凹溝（５）の奥部に空間（ｓ）を生じる差し込み状態にある。
【０００９】
そのため、等分割されている脚ベース（３）の複数を求心方向へ、即座に安定良く寄せ集め整合させることができず、そのキャップ（６）から上記脚管柱（２）のフランジナット（４）へ、センターボルト（７）を差し込み貫通させない限り、複数の脚ベース（３）がガタツキ遊動することになる。
【００１０】
つまり、上記キャップ（６）をその凹溝（５）の内部へ差し込んだだけでは、未だ複数の脚ベース（３）が求心方向へ整合状態に寄せ集め圧着されないため、その寄せ集め整合作業との言わば一挙同時に、センターボルト（７）を上記脚管柱（２）のフランジナット（４）へ締結しなければならず、ユーザーにとってすばやく確実に組立作業することができないのである。
【００１１】
更に、そのセンターボルト（７）を脚管柱（２）のフランジナット（４）と締結し終えた組立状態においても、上記脚ベース（３）の固定力がセンターボルト（７）のみに依存する結果、未だテーブル支持脚構造としての組立強度や安定性に劣り、使用中に僅かな荷重を受けるだけでも、その荷重がセンターボルト（７）に集中作用して、容易にガタツキや歪みなどを生じるおそれがある。
【課題を解決するための手段】
【００１２】
本考案はこのような課題の改良を目的としており、その目的を達成するために、請求項１では天板を支持する脚管柱と、これを受け止める付け根部の中空支軸から等分割された脚ベースの複数とを備え、
【００１３】
その複数の脚ベースが寄せ集め整合された時、全体的なリング状に連通することとなる凹溝を、上記脚ベースの中空支軸へ下向き拡開状態に切り欠く一方、上記脚管柱の開口下端部へフランジナットを嵌め付け溶接して、
【００１４】
上記脚ベースの下方から中空支軸を通じてフランジナットへ差し込み締結するセンターボルトにより、その複数の脚ベースを上記脚管柱と組立一体化するテーブルの支持脚構造において、
【００１５】
上記複数の脚ベースを求心方向へ整合状態に寄せ集め圧着させるための楔リングを、その脚ベースの上記凹溝へ下方から脱落不能に圧入したことを特徴とする。
【００１６】
又、請求項２では上記請求項１に従属する構成として、楔リングの内周面を差し込み先端部へ行く程徐々に拡開する傾斜テーパー面として造形する一方、
【００１７】
その楔リングが圧入される凹溝を、上記傾斜テーパー面とほぼ対応する傾斜テーパー状の内側凸曲面と、垂直なストレート状の外側凹曲面と、フラットな奥部とから断面ほぼ倒立レ字型に区画して、
【００１８】
上記楔リングをその凹溝の奥部に受け止められるまで深く圧入したことを特徴とする。
【考案の効果】
【００１９】
請求項１の上記構成によれば、複数の脚ベースを寄せ集め整合した時、全体的なリング状に連通することとなる凹溝が、その脚ベースの中空支軸に下向き拡開状態として切り欠かれており、その凹溝の内部へ下方から圧入する楔リングによって、上記脚ベースの複数を求心方向へ整合状態に寄せ集め圧着させるようになっているため、テーブルのメーカーは勿論のこと、そのユーザーが複数の脚ベースを天板の脚管柱へ、すばやく確実に組立作業できるのであり、利便性に著しく優れる。
【００２０】
又、その組立作業性に優れるにも拘らず、一旦組み立て終えたテーブル支持脚構造としては、複数の脚ベースが上記楔リングとセンターボルトによって、重畳的に固定維持されることとなる結果、優れた組立強度と安定性を得られるのであり、使用中荷重を受けるも容易にガタツキ遊動したり、まして歪み変形したりするおそれはない。
【００２１】
そのための必要構成としても、従来技術のキャップに代る楔リングの採用とその叩打作業だけで足り、この種テーブル支持脚構造における量産効果の向上に役立つ。
【考案を実施するための最良の形態】
【００２２】
以下、図面に基いて本考案の具体的構成を詳述すると、そのテーブル支持脚構造の分解状態と組立状態を示した図１〜８において、（１１）は一定長さの金属丸パイプ材から成る脚管柱であり、その垂立する開口上端部と開口下端部には、一対のフランジナット（１２）（１３）が嵌め付け溶接されている。
【００２３】
その上下一対のフランジナット（１２）（１３）は同じ断面ほぼＵ字型として、互いに逆向く状態にあり、その中心部にバーリング加工されたネジ孔（１４）（１５）を有している。
【００２４】
（１６）は木質系の天板であり、円形や正方形、その他の平面輪郭形状に作成されている。（Ａ）はアルミダイカスト製の天板受けであって、中心部のボス（１７）と、そのボス（１７）の胴面上端部から横方向へ、放射対称分布型に張り出す複数（図例では４個）の放射アーム（１８）と、その各放射アーム（１８）の先端部に設けられた受け座（１９）とを備えている。
【００２５】
そして、このような天板受け（Ａ）は図６に示す如く、そのボス（１７）を上記脚管柱（１１）の開口上端縁部へ施蓋状態に套嵌し、その上方から差し込み貫通させたセンターボルト（２０）の先端部（下端部）を、上側フランジナット（１２）のネジ孔（１４）へ締結することにより、上記脚管柱（１１）と組立一体化されることになる。
【００２６】
茲に、センターボルト（２０）は比較的短かく、上記天板受け（Ａ）と脚管柱（１１）との組立状態において、そのセンターボルト（２０）の頭部が天板（１６）の下面と干渉するおそれはない。（２１）は天板受け（Ａ）のボス（１７）に開口するセンターボルト逃し入れ孔、（２２）（２３）は上記センターボルト（２０）の頭部と、ボス（１７）の上面との相互間に各々介挿された平座金とバネ座金である。
【００２７】
又、同じく天板受け（Ａ）の放射アーム（１８）は何れも天板（１６）の下面へ接合され、その先端部の受け座（１９）が下方から各々ねじ込まれるビス（２４）によって、天板（１６）へ取り付け固定されることとなる。そのビス（２４）が天板（１６）の上面から露出することはない。
【００２８】
他方、（Ｂ）はアルミダイカスト製の脚ベースであって、上記脚管柱（１１）の開口下端縁部を受け止める付け根部（中心部）の中空支軸（２５）と、その中空支軸（２５）の胴面下端部から横方向へ、やはり放射対称分布型に張り出す複数（図例では４個）の放射スカート（２６）と、その各放射スカート（２６）の先端部へ下方からの昇降調整可能に螺合締結された別個な接地座（２７）とを備えているが、その脚ベース（Ｂ）は上記中空支軸（２５）のセンター軸線上から等分割（図例では９０度づつの４分割）されることにより、悉く同じ大きさ・形状の複数（図例では４個）から成り立っている。
【００２９】
そして、このような複数の脚ベース（Ｂ）は図６、７に示す如く、これらを求心方向へ寄せ集め整合し、その結果中空支軸（２５）のセンター軸線上に形成されることとなるセンターボルト逃し入れ口（２８）を通じて、下方から差し込み貫通させた長いセンターボルト（２９）の先端部（上端部）を、下側フランジナット（１３）のネジ孔（１５）へ締結することにより、上記脚管柱（１１）と組立一体化されることになる。（２８ａ）はそのセンターボルト逃し入れ口（２８）を形作ることになる凹曲面であり、各脚ベース（Ｂ）の中空支軸（２５）に切り欠かれている。
【００３０】
上記脚ベース（Ｂ）と脚管柱（１１）との組立状態において、その脚ベース（Ｂ）の放射スカート（２６）は上記天板受け（Ａ）の放射アーム（１８）とオーバーラップする対応的な配列方向性にあり、しかもその天板受け（Ａ）の放射アーム（１８）よりも長く、横斜め下方へ張り出し延在している。
【００３１】
その結果、脚ベース（Ｂ）における中空支軸（２５）の下面はフロアーから一定高さだけ浮上する状態に保たれ、上記センターボルト（２９）の頭部がフロアーと干渉するおそれはない。（３０）（３１）はその中空支軸（２５）の下面と、センターボルト（２９）の頭部との相互間に各々介挿された平座金とバネ座金である。
【００３２】
又、複数の脚ベース（Ｂ）を求心方向へ寄せ集め整合した時に、初めて全体的なリング状に連通することとなる一定深さ（Ｄ２）の凹溝（３２）が、その脚ベース（Ｂ）の中空支軸（２５）に下向き拡開状態として切り欠かれている。
【００３３】
つまり、その凹溝（３２）は図８に拡大して示す如く、傾斜テーパー状の内側凸曲面（３２ａ）と、上記中空支軸（２５）のセンター軸線と平行な垂直ストレート状の外側凹曲面（３２ｂ）と、フラットな奥部（天井面）（３２ｃ）とから区画された断面ほぼレ字型として、その入口部の開口幅（Ｗ１）が奥部の開口幅（Ｗ２）よりも広く寸法化されている。しかも、その凹溝（３２）の外側凹曲面（３２ｂ）は中空支軸（２５）の下面よりも下向き連続的に延長されており、上記センターボルト（２９）の頭部と平座金（３０）並びにバネ座金（３１）を包囲する円筒状態にある。
【００３４】
更に、（３３）は上記脚ベース（Ｂ）の凹溝（３２）へ圧入される金属製の別個な楔リングであって、図７、８のように、そのリング状として寄せ集め整合される凹溝（３２）の内径寸法（Ｏ２）よりも若干小さな内径寸法（Ｏ１）と、その凹溝（３２）の一定深さ（Ｄ２）と同じ差し込み深さ（一定幅）（Ｄ１）を備えている。
【００３５】
つまり、楔リング（３３）の外周面が上記凹溝（３２）の外側凹曲面（３２ｂ）と対応する垂直なストレート面（３３ｂ）をなすに比して、同じく楔リング（３３）の内周面は差し込み先端部へ行く程、徐々に拡開する傾斜テーパー面（３３ａ）として造形されており、楔リング（３３）を脚ベース（Ｂ）の下方から上記凹溝（３２）内の奥部まで叩打した時、その傾斜テーパー面（３３ａ）によって複数の脚ベース（Ｂ）を自づと求心方向へ寄せ集め圧着させ得るようになっている。
【００３６】
その結果、その楔リング（３３）を下方から上記センターボルト（２９）の頭部によって押さえ付け拘束しなくとも、これが脱落するおそれはない。もっとも、工具を使って強制的に抜き出し分解することは可能である。
【００３７】
上記構成によれば、複数の脚ベース（Ｂ）を寄せ集め整合し、そのリング状に連通した凹溝（３２）の内部へ、楔リング（３３）を叩打することによって、その複数の脚ベース（Ｂ）を圧着した後、これらをセンターボルト（２９）により上記脚管柱（１１）へ組立一体化するか、又は先に脚管柱（１１）の下側フランジナット（１３）へ差し込み貫通させたセンターボルト（２９）を中心として、これに複数の脚ベース（Ｂ）を寄せ集め整合させて、そのリング状に連通した凹溝（３２）の内部へ、楔リング（３３）を圧入することにより、何れにしてもユーザーがすばやく確実に組立作業することができる。但し、その複数の脚ベース（Ｂ）だけを予じめメーカーが上記楔リング（３３）の圧入により、組立固定しておいても勿論良い。
【００３８】
そして、上記センターボルト（２９）を脚管柱（１１）の下側フランジナット（１３）と締結し終えた組立状態では、その複数の脚ベース（Ｂ）が上記楔リング（３３）とセンターボルト（２９）により、重畳的に固定されることになる結果、テーブル支持脚構造としての優れた組立強度と安定性を確保することができ、使用中不慮にガタツキ遊動したり、まして歪み変形したりするおそれはない。
【図面の簡単な説明】
【００３９】
【図１】本考案に係るテーブル支持脚構造の分解状態を示す斜面図である。
【図２】複数の脚ベースを寄せ集め整合させた状態の平面図である。
【図３】図２の底面図である。
【図４】脚ベースの凹溝と楔リングとの位置関係を示す下方から見た斜面図である。
【図５】その凹溝に対する楔リングの圧入状態を示す同じ下方から見た斜面図である。
【図６】テーブル支持脚構造の組立状態を示す側断面図である。
【図７】図６の７−７線に沿う拡大断面図である。
【図８】脚ベースの凹溝と楔リングとの対応関係を示す拡大断面図である。
【図９】従来のテーブル支持脚構造を示す外観正面図である。
【図１０】その等分割された複数の脚ベースを示す斜面図である。
【図１１】図１０の底面図である。
【図１２】脚ベースの１個を抽出して示す下方から見た斜面図である。
【図１３】図９から抽出した脚ベースの組立状態を示す側断面図である。
【図１４】その脚ベースの凹溝とキャップとの対応関係を示す拡大断面図である。
【符号の説明】
【００４０】
（１１）・脚管柱
（１２）（１３）・フランジナット
（１４）（１５）・ネジ孔
（１６）・天板
（１７）・ボス
（１８）・放射アーム
（２９）・受け座
（２０）（２９）・センターボルト
（２１）（２８）・センターボルト逃し入れ孔
（２２）（３０）・平座金
（２３）（３１）・バネ座金
（２４）・ビス
（２５）・中空支軸
（２６）・放射スカート
（２７）・接地座
（２８ａ）・凹曲面
（３２）・凹溝
（３２ａ）・内側凸曲面
（３２ｂ）・外側凹曲面
（３２ｃ）・奥部（天井面）
（３３）・楔リング
（３３ａ）・傾斜テーパー面
（３３ｂ）・ストレート面
（Ａ）・天板受け
（Ｂ）・脚ベース
（Ｄ１）・楔リングの差し込み深さ
（Ｄ２）・凹溝の一定深さ
（Ｏ１）・楔リングの内径寸法
（Ｏ２）・凹溝の内径寸法
【図１】
0003132467.tif 000003
【図２】
0003132467.tif 000004
【図３】
0003132467.tif 000005
【図４】
0003132467.tif 000006
【図５】
0003132467.tif 000007
【図６】
0003132467.tif 000008
【図７】
0003132467.tif 000009
【図８】
0003132467.tif 000010
【図９】
0003132467.tif 000011
【図１０】
0003132467.tif 000012
【図１１】
0003132467.tif 000013
【図１２】
0003132467.tif 000014
【図１３】
0003132467.tif 000015
【図１４】
0003132467.tif 000016